(57)【要約】【課題】上部がカットされたカップ部を有する衣類で、バストの揺れを抑制する。【解決手段】肩ストラップ部３は、着用者の中心側でカップ部２に接続する中心側接続部Ｐ１と、脇側でカップ部２に接続する脇側接続部Ｐ２とを設ける。カップ部２は、肌側に配設される内カップ部２０と、内カップ部２０の外側に配設され、内カップ部２０の少なくとも上側部分を覆い、中心側接続部Ｐ１に接続するように形成された表カップ部１０を備え、表カップ部１０は、バストの上側の揺れに追従可能な伸縮素材で形成される追従部１３を備える。【選択図】      図１
2015086497.tif 000002
【特許請求の範囲】
【請求項１】
バストを被覆するカップ部を有する衣類であって、
一対のカップ部および肩ストラップ部を含み、
前記肩ストラップ部は、着用者の中心側で前記カップ部に接続する中心側接続部と、脇側で前記カップ部に接続する脇側接続部とを設け、
前記カップ部は、
肌側に配設される内カップ部と、
前記内カップ部の外側に配設され、前記内カップ部の少なくとも上側部分を覆い、前記中心側接続部に接続するように形成された表カップ部を備え、
前記表カップ部は、バストの上側の揺れに追従可能な伸縮素材で形成される追従部を備える
ことを特徴とするカップ部を有する衣類。
【請求項２】
前記表カップ部は、前記内カップ部の上辺部分よりも上側部分を覆うように形成され、且つ、前記内カップ部の上辺部分からバストトップ近傍部分に至る領域が前記内カップ部と摺動可能な状態となるように前記内カップ部の脇側から下側部分を経て前中心側に至る端部に固着されている、ことを特徴とする請求項１に記載のカップ部を有する衣類。
【請求項３】
前記内カップ部は、不織布またはウレタン素材によって形成され、
前記表カップ部は、前記内カップ部よりも張りコシの少ない素材によって形成されている、
請求項１または２に記載のカップ部を有する衣類。
【請求項４】
前記表カップ部は、
非伸縮ないし難伸縮素材で形成され、バストの上部中央付近に配設され、前記バストの上部を押圧する押圧部を備える
ことを特徴とする請求項１ないし３のいずれか１項に記載のカップ部を有する衣類。
【請求項５】
前記内カップ部は、バストの下部にパッドを装着可能であって、
前記追従部がバストの揺れに追従したことにより生じたパワーを、前記パッドで受け止め可能に形成される
ことを特徴とする請求項１ないし４のいずれか１項に記載のカップ部を有する衣類。
【請求項６】
前記パッドは、肌側に凹凸を有することを特徴とする請求項５に記載のカップ部を有する衣類。
【請求項７】
前記中心側接続部は、前記肩ストラップ部が肩に当接する位置と、バストトップの位置の中央近辺に配設される
ことを特徴とする請求項１ないし６のいずれか１項に記載のカップ部を有する衣類。
【請求項８】
前記肩ストラップ部は、
肩に当接する位置から前記カップ部に接続する位置の間で分岐して、前記中心側接続部および前記脇側接続部を形成し、
前記バストの脇側および中心側のそれぞれの揺れに、追従可能に形成される
ことを特徴とする請求項１ないし７のいずれか１項に記載のカップ部を有する衣類。
【発明の詳細な説明】
【技術分野】
【０００１】
本発明は、バストを被覆するカップ部を有する衣類に関する。
【背景技術】
【０００２】
一般的に、ブラジャーなどのカップ部を有する衣類は、バストを支え、バストの形状を整形すると共に、形が崩れることを防ぐ。またブラジャーは、これら以外にも、様々な機能を実現する場合もある。例えば、バスト全体を持ち上げることにより、効果的なバストアップ機能を実現するブラジャーがある（例えば、特許文献１参照。）。特許文献１に記載のブラジャーは、バストトップ真下部位にバスト持上布を設け、持上布を肩紐で直接的に引っ張り上げる構成とする。
【０００３】
また一般的に、いわゆる３／４カップのブラジャーが、広く普及している。３／４カップのブラジャーは、フルカップのブラジャーのカップの３／４程度の面積であって、フルカップのブラジャーの上１／４程度が、サイドからセンターに向かって斜めにカットされ、肩ストラップが脇寄りに配設される。これにより、３／４カップのブラジャーは、バストを斜め下からセンターにしっかり寄せ、美しいバストの谷間を演出する効果がある。
【０００４】
一方、スポーツブラなど、バストの揺れ防止機能を持つブラジャーも普及している。ブラジャーの揺れを防止することで、バストの靱帯の切断を防ぎ、バストの変形を回避する効果がある。いわゆるフルカップのブラジャーは、バストのふくらみ全体をカップで覆うため、バストの揺れ防止機能が高いことが知られる。
【先行技術文献】
【特許文献】
【０００５】
【特許文献１】特開３６８６８１２号公報
【発明の概要】
【発明が解決しようとする課題】
【０００６】
しかしながら、３／４カップなど、上部がカットされたカップ部を有する衣類で、バストの揺れ防止機能を実現することが困難な場合がある。
【０００７】
例えば、上部がカットされたカップ部を有する衣類は、フルカップのブラジャーに比べてバストの上部を押さえることができないので、歩行などの日常生活においても、バストの上部が、揺れやすい傾向がある。
【０００８】
上記特許文献１に記載のように、バストトップ真下部位にバスト持上布を設け、持上布を肩紐で直接的に引っ張り上げる構成とすることで、揺れ防止機能も期待できるとも考えられる。しかしながら、歩行によってバストが様々な方向に揺れるので、特許文献１に記載の方法で揺れ防止機能を実現することは不十分であると考えられる。
【０００９】
従って本発明の目的は、上部がカットされたカップ部を有する衣類で、バストの揺れを抑制することである。
【課題を解決するための手段】
【００１０】
上記課題を解決するために、本発明の特徴は、バストを被覆するカップ部を有する衣類に関する。本発明の特徴に係る衣類は、一対のカップ部および肩ストラップ部を含み、肩ストラップ部は、着用者の中心側でカップ部に接続する中心側接続部と、脇側でカップ部に接続する脇側接続部とを設ける。カップ部は、肌側に配設される内カップ部と、内カップ部の外側に配設され、内カップ部の少なくとも上側部分を覆い、中心側接続部に接続するように形成された表カップ部を備え、表カップ部は、バストの上側の揺れに追従可能な伸縮素材で形成される追従部を備える。
【発明の効果】
【００１１】
本発明によれば、上部がカットされたカップ部を有する衣類で、バストの揺れを抑制することができる。
【図面の簡単な説明】
【００１２】
【図１】本発明の実施の形態に係るブラジャーの斜視図である。
【図２】本発明の実施の形態に係るブラジャーの正面図である。
【図３】本発明の実施の形態に係るブラジャーの表カップ部を肌側から見た図である。
【図４】本発明の実施の形態に係るブラジャーのカップ部を肌側から見た図である。
【図５】本発明の実施の形態に係るブラジャーの内カップ部にパッドを収容した図である。
【図６】本発明の実施の形態に係るブラジャーの正面図であって、パッドの収容位置を説明する図である。
【図７】本発明の実施の形態に係るパッドの斜視図であって、表布を外した図である。
【図８】本発明の実施の形態に係るブラジャーについて、追従部がバストの揺れに追従する状態を説明する図である。
【図９】本発明の第１の変形例に係るブラジャーを説明する図である。
【図１０】本発明の第２の変形例に係るブラジャーを説明する図である。
【図１１】本発明の第３の変形例に係るブラジャーを説明する図である。
【発明を実施するための形態】
【００１３】
次に、図面を参照して、本発明の実施の形態を説明する。以下の図面の記載において、同一または類似の部分には同一または類似の符号を付している。
【００１４】
（実施の形態）
本発明の実施の形態に係る衣類は、ブラジャー、ボディースーツ、ブラスリップなどのカップ部を有する衣類であって、特に、上部がカットされたカップ部を有する。本発明の実施の形態においては、カップ部を有する衣類の一例として、ブラジャーの場合を説明する。
【００１５】
図１および図２に示すように、本発明の実施の形態に係るブラジャー１は、カップ部２、肩ストラップ部３、土台部４、バック部５およびカップ支持部６を有する。カップ部２、肩ストラップ部３、バック部５およびカップ支持部６は、左右一対に配設され、土台部４は、左右対称に形成される。これらの各部材は、縫着などにより固定的に接続される。
【００１６】
カップ部２は、左右一対に設けられ、それぞれ左右のバストを立体的に被覆する釣鐘形状を有する。肩ストラップ部３は、伸縮性ないし難伸縮を有するように形成され、肩の稜線を経由してカップ部２とバック部５とを接続し、カップ部２を肩の稜線から引っ張り上げる構成とされる。なお、肩ストラップ部３は、一部に非伸縮性素材を含んでいても全体として伸縮性もしくは難伸縮性を有するように形成されていればよい。また肩ストラップ部３は、カップ部２を肩の稜線から持ち上げることを可能とする長さになるように、エイト環などにより調節可能に形成される。
【００１７】
カップ支持部６は、カップ部２の下縁のバージスラインに沿って設けられる。カップ支持部６の内部に、バージスラインに沿う形状のワイヤーが収容される場合もある。土台部４は、カップ支持部６を介して左右一対のカップ部２を接続し、両脇端に、一対のバック部５がそれぞれ接続される。一対のバック部５の他端は、ホックなどの係止部（図示せず）が設けられ、背中心近辺で、着脱可能な構成とされる。
【００１８】
本発明の実施の形態においてカップ部２は、肌側に配設される内カップ部２０と、内カップ部２０の外側に配設される表カップ部１０とを備える。
【００１９】
本発明の実施の形態において内カップ部２０は、例えば、不織布などで形成され、ウレタン素材によって形成される、いわゆるモールドカップであっても良い。内カップ部２０は、いわゆる３／４カップの形状であって、フルカップと比べて１／４程度の上部がカットされた形状である。本発明の実施の形態に係るブラジャー１は、内カップ部２０が、３／４カップの形状である場合を説明するが、これに限るものではない。本発明の実施の形態に係るブラジャー１は、４／５カップや１／２カップなど、他のカップ形状に適用されても良い。
【００２０】
表カップ部１０は、上被覆部１１と、下被覆部１２を備え、内カップ部２０の少なくとも上側部分を覆い、中心側接続部Ｐ１に接続するように形成される。本発明の実施の形態において上被覆部１１および下被覆部１２は、バストトップ位置Ｔを経由する辺で縫着により接続され、いわゆる横二枚接ぎタイプの表カップ部１０を形成するが、これに限られない。表カップ部１０は、内カップ部２０よりも張りコシの少ない素材によって形成されている。表カップ部１０は、内カップ部２０に接しながら、内カップ部２０とは非同期にずれ動くことにより、バストの揺れを押さえる。
【００２１】
上被覆部１１および下被覆部１２において、それぞれの上方に凸形状が形成される。上被覆部１１は、凸形状の先端で中心側接続部Ｐ１を介して肩ストラップ部３に接続するように形成される。下被覆部１２は、凸形状の先端で脇側接続部Ｐ２を介して肩ストラップ部３に接続するように形成される。上被覆部１１および下被覆部１２のそれぞれの上方に形成された凸形状により、上被覆部１１および下被覆部１２の間に、Ｖ字状の切り欠き形状が形成される。
【００２２】
下被覆部１２は、バストの下側ないし脇側を覆う。下被覆部１２は、伸縮素材で形成されても良いし、非伸縮素材で形成されても良い。伸縮素材は例えば、ストレッチレースやサテン系素材、伸縮性のパワーネットなどである。非伸縮素材は例えば、非伸縮性のパワーネットなどである。図１〜図４等に示すように、下被覆部１２の下端は、カップ支持部６に接続し、下被覆部１２の脇部は、内カップ部２０に接続する。下被覆部１２は、バストの下部を支えて押し上げることにより、バスト全体の揺れを抑制することを可能とする。
【００２３】
上被覆部１１は、バストの上側ないし中心側を覆う。上被覆部１１は、ストレッチレースなどの伸縮素材で形成され、ブラジャーの装飾を兼ねても良い。図１および図２に示すように、上被覆部１１は、内カップ部２０の上辺よりも上側まで延伸して配設される。上被覆部１１の下辺は、下被覆部１２の上辺に接続する。本発明の実施の形態において上被覆部１１は、内カップ部２０と分離して配設され、内カップ部２０と上被覆部１１との間に開口が設けられても良い。上被覆部１１は、図１および図２に示すように、中心側の下辺において、カップ支持部６に接続して形成されても良い。
【００２４】
表カップ部１０は、内カップ部２０の上辺部分よりも上側部分を覆うように形成される。また表カップ部１０は、内カップ部２０の上辺部分からバストトップ近傍部分に至る領域が内カップ部２０と摺動可能な状態となるように、内カップ部２０の脇側から下側部分を経て前中心側に至る端部に固着されている。本発明の実施の形態に係る表カップ部１０は、下端がカップ支持部６に縫着するとともに、上端は内カップ部２０に縫着しないことにより、表カップ部１０の下端を支点として、バスト上部の揺れに追従して、内カップ部２０と摺動可能に形成される。表カップ部１０は、内カップ部２０に対してずれることができる状態で、内カップ部２０を表側から被覆することによって、運動時のバストの揺れに対して表カップ部２０が追従し易くするとともに、バストの揺れを低減する。
【００２５】
また、内カップ部２０が、保形性や張りコシの強い素材で形成されるのに対し、表カップ部１０が、張りコシの少ない素材で形成される。また表カップ部１０は、内カップ部２０の上辺部分よりも上側部分を覆うように形成される。これにより、表カップ部１０は、内カップ部２０の上辺がバストからの浮きを押さえ、また、バストからの浮きを外観上見えにくくすることができる。
【００２６】
上被覆部１１は、追従部１３および押圧部１４を備える。追従部１３および押圧部１４は、上被覆部１１とは別部材で構成され、上被覆部１１を形成する生地の肌側に、縫着などにより固着されても良い。
【００２７】
追従部１３は、バイアステープやゴムなどの、バストの上部の揺れに追従可能な伸縮素材で形成される。追従部１３は、中心側追従部１３ａおよび脇側追従部１３ｂを備える。中心側追従部１３ａおよび脇側追従部１３ｂが、バストの揺れに追従することにより、バストの揺れを抑制し、下方向にパワーを与えるよう形成される。
【００２８】
中心側追従部１３ａは、中心側から中心側接続部Ｐ１に斜め上方向に配設され、脇側追従部１３ｂは、脇側から中心側接続部Ｐ１に斜め上方向に配設される。これにより中心側追従部１３ａおよび脇側追従部１３ｂは、バストの形状にフィットするとともに、バストの左右および上下方向の揺れに追従することを可能とする。また、中心側追従部１３ａおよび脇側追従部１３ｂは、中心側接続部Ｐ１を介して肩ストラップ部３に接続するので、肩ストラップ部３は、中心側追従部１３ａおよび脇側追従部１３ｂから受けたパワーを集約して引き上げる。これにより、中心側追従部１３ａおよび脇側追従部１３ｂが、それぞれバストの揺れに追従することを可能とする。
【００２９】
中心側追従部１３ａは、内カップ部２０よりも上側のバストのうち、中心側のバストの揺れに追従するよう配設される。本発明の実施の形態において中心側追従部１３ａは、上被覆部１１の上端から０〜１０ミリ程度の位置に、バストの湾曲に沿うように、上被覆部１１の中心側の上端位置から中心側接続部Ｐ１まで、直線状に配設される。
【００３０】
脇側追従部１３ｂは、内カップ部２０よりも上側のバストのうち、脇側のバストの揺れに追従するよう配設される。脇側追従部１３ｂは、上被覆部１１および下被覆部１２の上端の間に設けられたＶ字状の切り欠きの、上被覆部１１の脇側に設けられる。本発明の実施の形態において脇側追従部１３ｂは、上被覆部１１の上端から０〜１０ミリ程度の位置に、バストの湾曲に沿うように、上被覆部１１の脇側の下被覆部１２との接続位置から中心側接続部Ｐ１まで、直線状に配設される。
【００３１】
本発明の実施の形態において上被覆部１１は、バストのふくらみ全体を覆う必要はなく、追従部１３が、内カップ部２０の上側のバストの揺れを抑制可能な位置に設けることができれば良い。具体的には追従部１３が、内カップ部２０の上端とバストのふくらみの上端との間の、バストの揺れの大きい位置に設けられるように上被覆部１１が延伸して、配設されることが好ましい。
【００３２】
押圧部１４は、非伸縮ないし難伸縮素材で形成され、バストの上部中央付近に縦長に配設され、バストの上部を押圧する。本発明の実施の形態に係る押圧部１４は特に、バストトップ位置Ｔから中心側接続部Ｐ１に直線状に接続して、内カップ部２０の上側のバストを、上に引き上げつつ押圧する。着用者の動作などにより、バストトップ位置Ｔより上側で体幹方向から離れ浮いてしまうバストを、押圧部１４は、体幹方向に引き寄せるパワーを与える。また、押圧部１４は、追従部１３と比べてより垂直に設けられるので、バストトップ位置Ｔより上側で上下方向に揺れるバストを、体幹方向に引き寄せるパワーを与え、バストの上下方向の揺れを効果的に抑制することができる。
【００３３】
肩ストラップ部３は、着用者の前面で、肩に当接する位置からカップ部２に接続する位置の間で分岐して、中心側ストラップ部３１および脇側ストラップ部３２を形成する。肩ストラップ部３における分岐位置は、例えば、肩の稜線から１〜７センチ程度である。
【００３４】
図１〜図４に示すように、中心側ストラップ部３１の先端に、中心側接続部Ｐ１が設けられる。中心側接続部Ｐ１は、肩ストラップ部３から分岐した中心側ストラップ部３１の端であって、着用者の中心側でカップ部２の、表カップ部１０の上被覆部１１に接続する。中心側接続部Ｐ１は、肩ストラップ部３が肩に当接する位置とバストトップ位置Ｔとの高さＨの中央近辺に配設される。
【００３５】
本発明の実施の形態において中心側接続部Ｐ１は、図１〜図４に示すように、上被覆部１１の追従部１３および押圧部１４によって形成される頂点に設けられる。中心側ストラップ部３１および押圧部１４は、直線状になるように配設され、バストトップ位置Ｔからバストの上部を上方向に引っ張り上げつつ、体幹方向に引き寄せやすく配設される。また、中心側ストラップ部３１は、中心側追従部１３ａおよび脇側追従部１３ｂがバストの揺れに追従可能な程度に上被覆部１１を体幹側に引き寄せる。
【００３６】
ここで、中心側接続部Ｐ１は、上部がカットされたカップ部を有するブラジャーの着用時に、バストの揺れの大きな部分に、形成される。中心側接続部Ｐ１は、肩ストラップ部３、追従部１３および押圧部１４によって大きな圧がかかるので、中心側接続部Ｐ１におけるバストの揺れを効果的に抑制することができる。
【００３７】
図１〜図４に示すように、脇側ストラップ部３２の先端に、脇側接続部Ｐ２が設けられる。脇側接続部Ｐ２は、肩ストラップ部３から分岐した脇側ストラップ部３２の端であって、着用者の脇側でカップ部２に接続する。本発明の実施の形態において脇側接続部Ｐ２は、図３および図４に示すように、下被覆部１２の接続部材１２ａに接続して設けられても良い。
【００３８】
接続部材１２ａは、非伸縮ないし難伸縮素材で形成され、図３および図４等に示すように、上被覆部１１および下被覆部１２の上端の間に設けられたＶ字状の切り欠きの、下被覆部１２の中心側に、設けられる。接続部材１２ａは、内カップ部２０および肩ストラップ部３に、縫着により接続する。これにより脇側ストラップ部３２は、接続部材１２ａを介して内カップ部２０によって支えられたバストを、効果的に上方向に引っ張り上げる。また別の実施例として、接続部材１２ａを設けず、肩ストラップ部３の脇側ストラップ部３２を延伸して下被覆部１２および内カップ部２０に縫着により接続しても良い。
【００３９】
本発明の実施の形態において肩ストラップ部３は、前面で分岐して中心側接続部Ｐ１および脇側接続部Ｐ２が設けられる。これにより、中心側接続部Ｐ１および脇側接続部Ｐ２は、バストの脇側および中心側のそれぞれの揺れに、非同期に追従可能に形成される。従って、着用者の動きによって様々な方向にバストの揺れが生じたとしても、中心側追従部１３ａおよび脇側追従部１３ｂが、適宜バストに追従してバストの揺れを抑制することを可能とする。
【００４０】
また肩ストラップ部３が分岐して中心側ストラップ部３１および脇側ストラップ部３２が形成されることにより、中心側ストラップ部３１および脇側ストラップ部３２を異なる力で引き上げることを実現する。具体的には、脇側ストラップ部３２は、着用者の脇側でカップ部２に接続するので、カップ部２にかかるバストの重さを支え引き上げ可能な程度の、比較的大きい引き上げ力を実現する。これに対し中心側ストラップ部３１は、追従部１３がバストの揺れに追従し、かつ押圧部１４がバスト上部を押圧可能な程度の、比較的小さい引き上げ力を実現する。
【００４１】
本発明の実施の形態において内カップ部２０は、バストの下部にパッドを装着可能である。図４〜図６に示すように、内カップ部２０は、肌側のバストトップ位置Ｔより下にパッド７を収容するためのパッド収容部２１を設ける。パッド７は、パッド収容部２１の脇側に設けられた開口部２２より出し入れ可能である。パッド７は、ウレタンなどの衝撃を吸収する特性の有る弾性素材で形成され、図７に示すように、少なくとも一方の面がプロファイル加工により凹凸が形成される。パッド７は、肌側に凹凸が配設されるように、パッド収容部２１内に装着される。このパッドの凸部は、約１センチ間隔で格子状に設けられ、５ミリ程度の高さを有する。パッド７の凹凸が形成された面は、凸部による加圧が肌に伝わる程度に、薄い布で覆われる。
【００４２】
パッド７の凹凸面が肌側に配設されることにより、バストの球面に沿いやすく、より高いフィット感を実現する。さらに、パッド７が、バストトップ位置Ｔより下に設けられることにより、追従部１３がバストの揺れに追従したことにより生じたパワーを、パッド７で受け止め可能に形成される。パッド７の肌側に設けられた凸部が、追従部１３によってバストが下向きに移動するパワーを、受け止める。これに伴って、パッド７の肌側の凸部から凹部へとパワーを拡散し、パッド７全体でパワーを受け止めることができる。
【００４３】
このようにパッド７は、追従部１３がバストの揺れに追従したことにより生じた反発力を吸収して、バストの下方向への揺れを抑制することが可能となる。従って本発明の実施の形態に係るブラジャー１は、バストの動きをカップ部２内に収め、バストの揺れを抑制することができる。
【００４４】
図８を参照して、本発明の実施の形態に係るブラジャー１が、バストの揺れを吸収する効果を説明する。着用者が動いたり歩行したりすることによりバストが揺れ、バストのふくらみの上端が、実線Ｆから二点鎖線Ｆ’に、上方向に移動する場合を考える。この際、本発明の実施の形態に係るブラジャー１を着用すると、上被覆部１１の中心側追従部１３ａが、バストのふくらみの移動に追従して、実線Ｋから二点鎖線Ｋ’に、上方向に移動する。このように、バストの上部の追従部１３がバストの揺れに追従するので、ＫからＫ’の移動幅は、本発明の実施の形態に係るブラジャー１を着用しない場合と比べて小さくなり、バストの揺れを抑制することができる。また、押圧部１４は、非伸縮ないし難伸縮で形成されるので、バストを外側から押さえて、バストの揺れを抑制する。
【００４５】
またバストの下部に設けられたパッド７は、弾性素材で形成されているので、追従部１３が上側からバストを追従することにより生じた反発力を、バストの下側で受け止めることができる。またパッド７は、弾性素材で形成され、肌側にプロファイル加工が施されているので、バストの曲面にフィットするとともに、バストの揺れを受け止めることによるパッド７のずれを抑制し、快適な着用感を持続する。
【００４６】
このように本発明の実施の形態に係るブラジャー１は、着用者の歩行などによる動作時に、バストが上方向に跳ね上がったり下方向に揺れ戻されたりしても、上方向から追従部１３が、揺れに追従する。さらに、下方向に設けられたパッド７が、バストの揺れを支える。これによりブラジャー１は、バストの動きをカップ部２の内部に収め、バストの揺れを抑制することができる。
【００４７】
本発明の実施の形態に係るブラジャーは、特に、３／４カップなどの被りの浅いカップ部２を有していても、カップ部２の上方向に延伸して設けられる上被覆部１１により、バストの揺れを抑制する効果が得られる。またこのようにバストの揺れを抑制するブラジャー１を日常的に利用することにより、バストの揺れによって生じる弊害を回避することができる。
【００４８】
（第１の変形例）
本発明の実施の形態において上被覆部１１および下被覆部１２が、バストトップ位置Ｔを経由する位置で接続される場合を説明したが、これに限られない。図９を参照して、第１の変形例に係る表カップ部１０ａおよび１０ｂを説明する。図９において、本発明の実施の形態に係る上被覆部１１および下被覆部１２の接続位置を二点鎖線で示す。
【００４９】
図９（ａ）に示す表カップ部１０ａにおいて、上被覆部１１ａおよび下被覆部１２ａが、本発明の実施の形態と比べて上の位置で接続される。図９（ａ）に示す例において下被覆部１２ａの上辺は、カップ部２の上辺の位置近傍に配設される。この場合、押圧部１４ａは、上被覆部１１ａおよび下被覆部１２ａの裏面の、バストトップ位置Ｔから中心側接続部Ｐ１を結ぶ位置に配設される。これにより、バストの上部を押圧部１４ａが上に引き上げつつ押さえることにより、バストの揺れを抑制する。
【００５０】
図９（ｂ）に示す表カップ部１０ｂにおいて、上被覆部１１ｂおよび下被覆部１２ｂが、本発明の実施の形態と比べて下の位置で接続される。図９（ｂ）に示す例において下被覆部１２ｂの上辺は、カップ部２の下部の中心近傍の位置に配設される。この場合、押圧部１４ｂは、上被覆部１１ｂの裏面の、中心側接続部Ｐ１からバストトップ位置Ｔを経由して、下被覆部１２ｂの上辺までを結ぶ位置に配設される。さらに別の実施例として押圧部１４ｂは、下被覆部１２ｂの下辺や、カップ支持部６まで延伸しても良い。これにより、バストトップ位置Ｔの真下位置が、下被覆部１２ｂによって被覆されないもの、押圧部１４ｂで上に引き上げつつ押さえることにより、バストの下部の揺れを抑制する。
【００５１】
本発明の実施の形態において表カップ部１０がカップ支持部６に接続する場合を説明したが、本発明はこれに限定されるものではなく、表カップ部１０がカップ支持部６に接続しない態様でも良い。
【００５２】
（第２の変形例）
図１０に示すように、第２の変形例に係るブラジャー１ｃにおいて、表カップ部１０ｃは、上被覆部１１ｃを有し、上被覆部１１ｃの下辺が内カップ部２０に接続する。また、上記本発明の実施の形態と異なり、下被覆部を有していない。上記本発明の実施の形態では脇側ストラップ部３２は、下被覆部１２に配設された接続部材１２ａを介して内カップ部２０に接続する構成を採用しているが、第２の変形例においては、脇側ストラップ部３２は、内カップ部２０に直接、接続するように形成されている。このような第２の変形例においても、本発明の実施の形態と同様の効果が得られる。内カップ部２０の実線および破線は、内カップ部２０を釣鐘形状に形成するための生地の切り替えおよび縫い目である。
【００５３】
なお、本変形例では、内カップ部２０が３枚の生地を接ぎ合わせたいわゆる３枚接ぎである例を挙げているが、本発明はこれに限定されるものではない。例えば、商品の仕様に応じて、内カップ部を２枚の布地で構成しても良いし、４枚以上の布地で構成するようにしてもよい。
【００５４】
なお、上被覆部１１ｃの下辺の位置は、一例であって、図１０に示す位置に限るものではなく、例えば、図９に示す位置でも良い。また、第２の変形例において、内カップ部２０の上被覆部１１ｃによって被覆されない部分に、装飾用のレースなどが配設されても良いし、脇側ストラップ部３２に接続する表カップが配設されても良い。
【００５５】
（第３の変形例）
本発明の実施の形態において肩ストラップ部３は、前面で中心側ストラップ部３１および脇側ストラップ部３２に分岐する場合を説明したが、これに限られない。
【００５６】
図１１に示すように第３の変形例に係るブラジャー１ｄは、肩ストラップ部３ｄは、分岐しない構成とする。肩ストラップ部３ｄは、前面で幅広に形成され、肩ストラップ部３の中心側に中心側接続部Ｐ１が設けられ、脇側に脇側接続部Ｐ２が設けられる。このような第３の変形例においても、本発明の実施の形態と同様の効果が得られる。
【００５７】
また他の変形例として、一般的な３／４カップのブラジャーの肩ストラップに、中心側ストラップ部３１を別部材として配設した肩ストラップ部も考えられる。中心側ストラップ部３１は、一般的な肩ストラップに、縫着などにより固着されても良い。また、中心側ストラップ部３１を肩ストラップに装着する位置を調整可能に装着されても良い。
【００５８】
（その他の実施の形態）
上記のように、本発明の実施の形態とその第１〜第３の変形例によって記載したが、この開示の一部をなす論述および図面はこの発明を限定するものであると理解すべきではない。この開示から当業者には様々な代替実施の形態、実施例および運用技術が明らかとなる。
【００５９】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００６０】
１  ブラジャー
２  カップ部
３  肩ストラップ部
４  土台部
５  バック部
６  カップ支持部
７  パッド
１０  表カップ部
１１  上被覆部
１２  下被覆部
１２ａ  接続部材
１３  追従部
１３ａ  中心側追従部
１３ｂ  脇側追従部
１４  押圧部
２０  内カップ部
２１  パッド収容部
２２  開口部
３１  中心側ストラップ部
３２  脇側ストラップ部
Ｔ  バストトップ位置
Ｐ１  中心側接続部
Ｐ２  脇側接続部
【図１】
2015086497.tif 000003
【図２】
2015086497.tif 000004
【図３】
2015086497.tif 000005
【図４】
2015086497.tif 000006
【図５】
2015086497.tif 000007
【図６】
2015086497.tif 000008
【図７】
2015086497.tif 000009
【図８】
2015086497.tif 000010
【図９】
2015086497.tif 000011
【図１０】
2015086497.tif 000012
【図１１】
2015086497.tif 000013